(57)【要約】【課題】  本体の開閉動作と同時に表示部の汚れをより簡易に拭き取ることが出来る電子機器を提供する。【解決手段】  表示部１０８を具備する第１の筐体１０２と、不使用時に表示部を被覆する第２の筐体１０４とを備える電子機器１００において、第１の筐体に対して第２の筐体を開閉動作する際に表示部を拭浄する拭浄手段が設けられて、この拭浄手段は、表示部を拭浄する拭浄部材１１４と、第１の筐体に対して第２の筐体を開閉動作する際に拭浄部材を駆動させる拭浄部材駆動手段１２２、１２４、１２６と、第１の筐体に対して第２の筐体を開閉動作する際に拭浄部材駆動手段を入力する拭浄部材駆動入力手段１２８、１３０と、を備える。【選択図】      図１
2006030247.tif 000002
【特許請求の範囲】
【請求項１】
表示部を具備する第１の筐体と、不使用時に前記表示部を被覆する第２の筐体とを備える電子機器において、
前記第１の筐体に対して前記第２の筐体を開閉動作する際に前記表示部を拭浄する拭浄手段が設けられていることを特徴とする、電子機器。
【請求項２】
前記拭浄手段は、
前記表示部を拭浄する拭浄部材と、
前記第１の筐体に対して前記第２の筐体を開閉動作する際に前記拭浄部材を駆動させる拭浄部材駆動手段と、
前記第１の筐体に対して前記第２の筐体を開閉動作する際に前記拭浄部材駆動手段を入力する拭浄部材駆動入力手段と、を備えることを特徴とする、請求項１に記載の電子機器。
【請求項３】
前記拭浄部材駆動入力手段は、
前記第１の筐体の表示部を有する面に設けられた磁性体と、
前記第２の筐体のうち前記磁性体と対向する位置に設けられたホールＩＣまたはリードスイッチのいずれかと、を備えることを特徴とする、請求項１または２に記載の電子機器。
【請求項４】
前記拭浄手段は、手動により使用されることを特徴とする、請求項１に記載の電子機器。
【請求項５】
前記拭浄手段は、
前記表示部を拭浄する拭浄部材と、
前記拭浄部材を収納する拭浄部材収納部と、を備えることを特徴とする、請求項４に記載の電子機器。
【請求項６】
前記拭浄手段は、前記第２の筐体のうち、前記表示部と対向する面に設けられていることを特徴とする、請求項４に記載の電子機器。
【請求項７】
表示部を具備する第１の筐体と、不使用時に前記表示部を被覆する第２の筐体とを備える機器の前記表示部を拭浄する表示部拭浄機構において、
前記拭浄機構は、
前記表示部を拭浄する拭浄部材と、
前記第１の筐体に対して前記第２の筐体を開閉動作する際に前記拭浄部材を駆動させる拭浄部材駆動手段と、
前記第１の筐体に対して前記第２の筐体を開閉動作する際に前記拭浄部材駆動手段を入力する拭浄部材駆動入力手段と、を備えることを特徴とする、表示部拭浄機構。
【請求項８】
前記拭浄部材駆動入力手段は、
前記第１の筐体の表示部を有する面に設けられた磁性体と、
前記第２の筐体のうち前記磁性体と対向する位置に設けられたホールＩＣまたはリードスイッチのいずれかと、を備えることを特徴とする、請求項７に記載の表示部拭浄機構。
【発明の詳細な説明】
【技術分野】
【０００１】
本発明は、電子機器に係り、特に電子機器に備わるＬＣＤ等の液晶画面からなる表示部の汚れを除去する表示部拭浄手段の構成に関する。
【背景技術】
【０００２】
通常、通信・通話に使用される携帯電話機等の電子機器は、使用する際に指や顔等の人体と接触するため、ＬＣＤ等の液晶画面から構成される表示部は、静電気や人体との接触により汚れることが多いので、ユーザは布等で汚れを拭き取る必要があった。そのため、汚れを取り除く際に、布等を取り出すという煩わしさを伴う。また、布等を持参していない場合は、手や服で拭き取らなければならず、これら服等を汚してしまう虞がある。
【０００３】
このため、表示部の汚れを拭浄することができる清掃手段を具備する携帯電話機等の電子機器として、表示部側筐体に、表示部に圧接しながら移動することにより表示部を清掃する清掃バーと、この清掃バーを保持する弾性体と、清掃バーを弾性体が復元力をもつ状態で保持し、かつその保持状態を解除可能な清掃バー保持爪とを備える電子機器が開示されている（例えば、特許文献１を参照）。この電子機器は、清掃バーを片道だけ移動させて清掃バー保持爪で保持すると、次に清掃するときは、清掃ボタンを押下して清掃バー保持爪の保持状態を解除すれば、清掃バーが弾性体の復元力で戻る構成となっている。
【０００４】
また、上記特許文献１に開示されている電子機器の他の実施の形態には、表示部を内側に折り畳み可能な電子機器において、この電子機器の開閉操作に連動して、表示部に圧接しながら移動することにより表示部を清掃する清掃手段と、この清掃手段を保持する弾性体とを備えたことを特徴とする電子機器が開示されている。
【０００５】
【特許文献１】特開２００３−２９８７０８号
【発明の開示】
【発明が解決しようとする課題】
【０００６】
しかしながら、上記電子機器に備わる清掃手段は、使用時に手指等を使用することによる保持手段の着脱操作等の手間を要する。すなわち、電子機器の開閉動作と同時に表示部を拭浄することが出来ない。このため、より簡易に表示部を拭浄することが可能な電子機器の表示部拭浄機構が望まれる。
【０００７】
また近年では、携帯電話機等の電子機器は、折り畳み式構造ものだけでなく、回転型やスライド型の構造の電子機器もあり、各構造の電子機器にも適用可能な電子機器の表示部拭浄機構が必要とされている。
【０００８】
そこで、本発明は、従来の電子機器が有する上記問題点に鑑みてなされたものであり、本発明の目的は、より簡易に表示部を拭浄することの可能な、新規かつ改良された電子機器を提供することである。
【０００９】
また、本発明の他の目的は、折り畳み式構造のみでなく、回転型やスライド型等の他種構造の電子機器にも表示部拭浄機構を適用することの可能な、新規かつ改良された電子機器を提供することである。
【課題を解決するための手段】
【００１０】
上記課題を解決するために、本発明のある観点によれば、表示部を具備する第１の筐体と、不使用時に表示部を被覆する第２の筐体とを備える電子機器において、第１の筐体に対して第２の筐体を開閉動作する際に表示部を拭浄する拭浄手段が設けられていることを特徴とする、電子機器が提供される。
【００１１】
このとき、拭浄手段は、表示部を拭浄する拭浄部材と、第１の筐体に対して第２の筐体を開閉動作する際に拭浄部材を駆動させる拭浄部材駆動手段と、第１の筐体に対して第２の筐体を開閉動作する際に拭浄部材駆動手段を入力する拭浄部材駆動入力手段と、を備えることとしてもよい。
【００１２】
また、拭浄部材駆動入力手段は、第１の筐体の表示部を有する面に設けられた磁性体と、第２の筐体のうち磁性体と対向する位置に設けられたホールＩＣまたはリードスイッチのいずれかと、を備えることとしてもよい。
【００１３】
このような構成とすることにより、携帯電話機等の電子機器におけるＬＣＤ等の液晶画面から構成される表示部の汚れに対し、電子機器の開閉動作と同時に上記の拭浄部材駆動入力手段が拭浄部材駆動手段を入力することにより拭浄手段が駆動して、表示部の汚れをより簡易に拭き取ることが出来る。すなわち、表示部の汚れに対して、布等を準備して取り出すという煩わしさ、手間を省き、エンドユーザーの利便性の向上が可能となる。
【００１４】
また、このとき、拭浄手段は、手動により使用されることとしてもよく、具体的には、拭浄手段は、表示部を拭浄する拭浄部材と、拭浄部材を収納する拭浄部材収納部と、を備える構成とすることも可能であり、また、拭浄手段は、第２の筐体のうち、表示部と対向する面に設けられている構成とすることも可能である。
【００１５】
このような構成とすることにより、表示部の汚れを拭き取る際の拭浄自由度の向上が望まれる。また、拭浄手段にクッション性を持たせることにより、電子機器の開閉時の傷付き及び衝撃強度緩和が可能となる。また、折り畳み式構造のみでなく、回転型やスライド型等の他種構造の電子機器にも表示部の拭浄が可能となる。
【００１６】
上記課題を解決するために、本発明の他の観点によれば、表示部を具備する第１の筐体と、不使用時に表示部を被覆する第２の筐体とを備える機器の表示部を拭浄する表示部拭浄機構において、この拭浄機構は、表示部を拭浄する拭浄部材と、第１の筐体に対して第２の筐体を開閉動作する際に拭浄部材を駆動させる拭浄部材駆動手段と、第１の筐体に対して第２の筐体を開閉動作する際に拭浄部材駆動手段を入力する拭浄部材駆動入力手段と、を備えることを特徴とする、表示部拭浄機構が提供される。
【００１７】
このとき、拭浄部材駆動入力手段は、第１の筐体の表示部を有する面に設けられた磁性体と、第２の筐体のうち前記磁性体と対向する位置に設けられたホールＩＣまたはリードスイッチのいずれかと、を備えることとしてもよい。
【００１８】
このような構成とすることにより、携帯電話機等の電子機器のみならず、鏡や時計等の被拭浄対象面を有する機器の表示部の汚れに対しても、機器の開閉動作と同時に表示部の汚れをより簡易に拭き取ることが出来る。また、折り畳み式構造のみでなく、回転型やスライド型等の他種構造の電子機器にも表示部拭浄機構が適用可能となる。
【発明の効果】
【００１９】
以上説明したように本発明によれば、電子機器を使用時の開閉動作と同時に表示部の汚れ等をより簡易に拭き取ることができ、かつ携帯電話機自体に拭浄機能が設置される。このため、エンドユーザーは、表示部の汚れ付着に対して、より簡易にかつ迅速に対処できるようになる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
（第１の実施の形態）
まず、本発明の第１の実施の形態における電子機器の構成について図面を使用しながら説明する。図１は、本発明の第１の実施の形態における電子機器の一例である折り畳み式携帯電話機１００の外観斜視図であり、（ａ）は、携帯電話機１００の開状態の外観斜視図であり、（ｂ）は、携帯電話機１００の閉状態の外観斜視図である。
【００２２】
図１（ａ）に示すように、本実施の形態の携帯電話機１００は、第１の筐体となる表示部側筐体１０２と第２の筐体となる入力部側筐体１０４がヒンジ部１０６で回動可能に結合され、このヒンジ部１０６を中心に折り畳み開閉が可能な構成となっている。このような構成とすることで、携帯電話機１００を不使用時に、不図示のキー入力部が配設される入力部側筐体１０４が表示部側筐体１０２に配設されるＬＣＤ等の液晶画面で形成される表示部１０８を被覆する蓋の役目もすることとなる。
【００２３】
表示部側筐体１０２には、上述したようにＬＣＤ等の液晶画面で形成される表示部１０８が配設される。そして本実施の形態では、表示部１０８に付着した汚れ１１０を拭き取るために、表示部１０８を圧接しながら拭浄する略棒形状の拭浄部材１１４が表示部側筐体１０２に配設されている。
【００２４】
拭浄部材１１４は、表示部１０８に圧接するように設けられ、極細繊維、革等の一般的な拭き取り素材、またはそれに変わる有効な素材から形成される拭き取り部１１６と、略棒形状の拭き取りスライド１１８が一体となって構成されている。
【００２５】
拭き取りスライド１１８の一端は、表示部側筐体１０２の表示部１０８の一側端に形成されたスリット１２０に摺動自在に嵌合し、拭き取りスライド１１８の他端は、表示部側筐体１０２の一側部内に設けられたベルト部１２２に接続されている。このベルト部１２２は、表示部側筐体１０２の先端側内部に配設されたベルト軸１２４と、表示部側筐体１０２の基端側内部に配設された小型モータ１２６とを支点として、小型モータ１２６の駆動により表示部側筐体１０２の長手方向を動くようになる。
【００２６】
本実施の形態では、表示部側筐体１０２の表示部１０８が配設された面の一部に磁性を有するマグネット１２８が設けられている。そして、入力部側筐体１０４のうち前述のマグネット１２８と対向する位置にホールＩＣ１３０が配設されている。このホールＩＣ１３０は、不図示の内部回路を介して小型モータ１２６と接続されている。これらマグネット１２８及びホールＩＣ１３０による小型モータ１２６の作動のメカニズムに関しては、後述するものとする。
【００２７】
次に、本実施の形態の携帯電話機１００における表示部１０８の付着した汚れ１１０を拭浄する動作について、図面を使用しながら説明する。図２（ａ）は、携帯電話機１００の開状態の外観斜視図であり、図２（ｂ）は、携帯電話機１００の閉状態の外観斜視図である。
【００２８】
携帯電話機１００が通常の使用動作である携帯電話機本体１００を閉状態から開状態に開く動作を行う事により磁性を有するマグネット１２８がホールＩＣ１３０から遠ざかり、小型モータ１２６の作動を入力する不図示のスイッチがＯＮに切り替わる。スイッチがＯＮに切り替わると小型モータ１２６が作動し、この小型モータ１２６とベルト軸１２４を支点としてベルト部１２２が動く。
【００２９】
上述したように、ベルト部１２２と拭き取りスライド１１８が連結しており、拭き取りスライド１１８が表示部側筐体１０２に形成されたスリット１２０に沿って、図２（ｂ）の斜線部に示す本体閉状態スライド停止位置(表示部１０８の上部)から、図２（ａ）の斜線部に示す本体開状態スライド停止位置（表示部１０８の下部）へと移動する。この移動の際、拭き取り部１１６が表示部１０８を圧接していることより、拭き取り部１１６が表示部１０８上の汚れ１１０に達した時に汚れ１１０を拭き取ることができる。
【００３０】
そして、拭き取りスライド１１８が図２（ａ）の斜線部に示す本体開状態スライド停止位置に到達すると上述のスイッチがＯＦＦに切り替わり、小型モータ１２６が停止する。
【００３１】
次に、携帯電話機１００が通常の使用動作である開状態から閉状態へ閉じる動作を行うことにより、開動作とは逆にマグネット１２８がホールＩＣ１３０に近づいて、スイッチがＯＮに切り替わる。
【００３２】
そして、小型モータ１２６が作動し、拭き取りスライド１１８が図２（ａ）の斜線部で示す本体開状態スライド停止位置から、図２（ｂ）の斜線部で示す本体閉状態スライド停止位置の方向へ移動する。その際に、拭き取りスライド１１８が汚れ１１０に達して、本体閉動作においても汚れ１１０を拭き取ることができる。その後、拭き取りスライド１１８が図２（ｂ）の本体閉状態スライド停止位置に到達すると、スイッチがＯＦＦに切り替わり、小型モータ１２６が停止する。
【００３３】
以上の動作により、携帯電話機本体１００の開閉の両動作において拭浄部材１１４が表示部１０８の拭き取りを行う。すなわち、表示部側筐体１０２に対して入力部側筐体１０４を開閉動作する際に、マグネット１２８とホールＩＣ１３０と不図示の内部回路が拭浄部材１１４の駆動源となる小型モータ１２６の駆動入力手段となる。また、この小型モータ１２６、ベルト軸１２４、及びベルト部１２２が拭浄部材１１４を表示部１０８（表示部側筐体１０２）の長手方向に駆動させる拭浄部材駆動手段となる。以上より、本実施の形態では、表示部１０８の拭浄手段は、表示部１０８を拭浄する拭浄部材１１４と、前述の拭浄部材駆動手段及び拭浄部材駆動入力手段から構成される。
【００３４】
換言すると、本実施の形態の携帯電話機１００を上述したような構成とすることにより、表示部１０８の汚れに対し、携帯電話機本体１００の開閉動作と同時に上記の拭浄部材駆動入力手段が拭浄部材駆動手段を入力することにより拭浄手段が駆動して、表示部１０８の汚れ１１０をより簡易に拭き取ることが出来る。すなわち、表示部１０８の汚れ１１０に対して、布等を準備して取り出すという煩わしさ、手間を省き、エンドユーザーの利便性の向上が見込まれるようになる。
【００３５】
また、本実施の形態の一の変形例として、図３に示すようにホールＩＣ１３０の代わりにリードスイッチ１３２を使用することも可能である。このような構成とすることにより、表示部側筐体１０２に対して入力部側筐体１０４を開閉動作する際に、マグネット１２８とリードスイッチ１３２と不図示の内部回路が拭浄部材１１４の駆動源となる小型モータ１２６の駆動入力手段となり、第１の実施の形態の携帯電話機１００と同様の効果を得ることが出来る。
【００３６】
さらに、本実施の形態の他の変形例として、図４に示すように螺子穴部１３４を図２（ａ）の斜線部で示す開状態スライド停止位置に設置することにより、螺子穴隠し効果を付加することもできる。
【００３７】
（第２の実施の形態）
次に、本発明の第２の実施の形態における電子機器の構成について図面を使用しながら説明する。図５は、本発明の第２の実施の形態における電子機器の一例である折り畳み式携帯電話機２００の開状態の外観斜視図である。
【００３８】
図５に示すように、本実施の形態の携帯電話機２００は、第１の実施の形態における携帯電話機１００と同様に、ＬＣＤ等の液晶画面で形成される表示部２０８が配設された表示部側筐体２０２と不図示のキー入力部が配設された入力部側筐体２０４がヒンジ部２０６で回動可能に結合され、このヒンジ部２０６を中心に折り畳み開閉が可能な構成となっている。
【００３９】
本実施の形態の携帯電話機２００は、第１の実施の形態の携帯電話機１００と表示部２０８を拭き取る拭浄手段の構成が異なる。すなわち、本実施の形態の携帯電話機２００では、表示部２０８の汚れ２１０を拭き取る拭浄手段が手動により作動する構成となっている。
【００４０】
表示部２０８に付着した汚れ２１０を拭き取るために表示部２０８を圧接するように配設される略棒形状の拭浄部材２１４は、この両端が表示部側筐体２０２の表示部２０８の両端側に形成されたスリット２２０に摺動自在に嵌合している。換言すると、拭浄部材２１４は、手動により表示部２０８上を表示部長手方向に圧接しながら摺動可能となっている。なお、本実施の形態での表示部２０８の拭浄動作については、後述するものとする。
【００４１】
また、本実施の形態の携帯電話機２００の拭浄部材２１４は、第１の実施の形態の携帯電話機１００と同様に、極細繊維、革等の一般的な拭き取り素材、またはそれに変わる有効な素材から形成される拭き取り部２１６と、略棒形状の拭き取りスライド２１８が一体となって構成されている。
【００４２】
次に、本実施の形態の携帯電話機２００における表示部２０８の付着した汚れ２１０を拭浄する動作について、図面を使用しながら説明する。
【００４３】
拭き取りスライド２１８の停止位置は、表示部２０８の基端側である図５の斜線部で示す停止位置Ａ、若しくは表示部２０８の先端側である図５の斜線部で示す停止位置Ｂとする（どちらでも可）。拭き取りの際、停止位置から手動で拭き取りスライド２１８を表示部２０８上の汚れ２１０まで動かし、拭き取り部２１６を汚れ２１０にこすり付ける様に、拭き取りスライド２１８を表示部２０８に沿って数回上下させ、汚れ２１０を拭き取る。そして、拭き取り後、拭き取りスライド２１８を停止位置（ＡまたはＢ）へ戻す。
【００４４】
以上説明したように、本実施の形態では、表示部２０８の拭浄手段が手動により作動する構成としたため、第１の実施の形態の携帯電話機１００と比べて、表示部２０８の拭き取り機構に対する体積占拠率が低い構成とすることができる。このため、携帯電話機本体の小型化が可能となる。
【００４５】
また、第１の実施の形態の他の変形例と同様に、拭き取りスライド２１８の停止位置Ａ、Ｂの下に螺子穴部を設置することで、螺子穴隠しの効果を付加させることができる。
【００４６】
（第３の実施の形態）
次に、本発明の第３の実施の形態における電子機器の構成について図面を使用しながら説明する。図６は、本発明の第３の実施の形態における電子機器の一例である折り畳み式携帯電話機３００の開状態の外観斜視図であり、（ａ）は、拭浄手段となる拭浄部材３１４を携帯電話機３００から着脱した場合の携帯電話機３００の開状態の外観斜視図であり、（ｂ）は、拭浄手段となる拭浄部材３１４を携帯電話機３００から外して表示部３０８を拭き取る動作の状態を示す携帯電話機３００の開状態の外観斜視図である。
【００４７】
図６（ａ）に示すように、本実施の形態の携帯電話機３００は、第１及び第２の実施の形態における携帯電話機１００、２００と同様に、ＬＣＤ等の液晶画面で形成される表示部３０８が配設された表示部側筐体３０２と不図示のキー入力部が配設された入力部側筐体３０４がヒンジ部３０６で回動可能に結合され、このヒンジ部３０６を中心に折り畳み開閉が可能な構成となっている。
【００４８】
本実施の形態の携帯電話機３００は、第１の実施の携帯の携帯電話機１００と表示部３０８を拭き取る拭浄手段の構成が異なる。すなわち、本実施の形態の携帯電話機３００では、第２の実施の形態と同様に、表示部３０８の汚れ３１０を拭き取る拭浄手段が手動により作動する構成となっている。また、本実施の形態では、表示部３０８の拭浄手段となる拭浄部材３１４が表示部側筐体３０２と別パーツとして構成されている。
【００４９】
すなわち、本実施の形態では、表示部側筐体３０２と別パーツとして構成されている拭浄部材３１４は、不使用時には表示部側筐体３０２の先端側に形成された拭浄部材３１４と略同一の型の溝部である拭浄部材収納部３３４に収納されている。
【００５０】
そして、図６（ｂ）に示すように、表示部３０８の汚れ３１０を拭き取る際に、拭浄部材収納部３３４に収納されている拭浄部材３１４を拭浄部材収納部３３４から外して、拭浄部材３１４を所望の表示部３０８の拭浄動作に使用する。
【００５１】
なお、本実施の形態の携帯電話機３００の拭浄部材３１４は、第１及び第２の実施の形態の携帯電話機１００、２００と同様に、極細繊維、革等の一般的な拭き取り素材、またはそれに変わる有効な素材から形成される拭き取り部３１６と、略棒形状の拭き取りスライド３１８が一体となって構成されている。
【００５２】
そして、拭浄部材３１４で表示部３０８の汚れ３１０を拭き終わった使用後は、拭浄部材３１４は、表示部側筐体３０２に形成された拭浄部材収納部３３４に収納する。
【００５３】
以上説明したように、本実施の形態では、拭浄部材３１４を表示部側筐体３０２と別パーツとして構成して、表示部側筐体３０２から拭浄部材３１４を取り外し可能にしたことにより、表示部３０８の拭き取り自由度の向上が見込まれる。
【００５４】
また、第１の実施の形態の他の変形例と同様に、拭浄部材３１４を収納する拭浄部材収納部３３４の下に螺子穴部を設置することで、螺子穴隠しの効果を付加させることができる。
【００５５】
さらに、拭浄部材３１４の拭き取り部３１６にクッション性を持たせ、拭浄部材３１４を拭浄部材収納部３３４に収納する際に、図６（ａ）に示すように拭き取り部３１６を表に出る向きに収納することにより、携帯電話機３００の開閉時における表示部３０８等の傷付き及び衝撃強度緩和の効果を付加できる。
【００５６】
（第４の実施の形態）
次に、本発明の第４の実施の形態における電子機器の構成について図面を使用しながら説明する。図７及び８は、本発明の第４の実施の形態における電子機器の一例である回転型携帯電話機４００の構成図である。そのうち、図７（ａ）は、本実施の形態の回転型携帯電話機４００の閉状態の側面図であり、図７（ｂ）は、本実施の形態の回転型携帯電話機４００の閉状態の正面図である。また、図８（ａ）は、本実施の形態の回転型携帯電話機４００の開状態の側面図であり、図８（ｂ）は、本実施の形態の回転型携帯電話機４００の開状態の正面図であり、図８（ｃ）は、本実施の形態の回転型携帯電話機４００の開状態の裏面図である。
【００５７】
図７に示すように、本実施の形態の携帯電話機４００は、第１、第２、及び第３の実施の形態における携帯電話機１００、２００、３００と異なり、回転軸４０６を中心に表示部側筐体４０２と入力部側筐体４０４が開閉する回転型携帯電話機である。
【００５８】
また、本実施の形態では、表示部４０８の拭浄手段となる拭き取り部４１６は、図８（ｂ）に示すように、入力部側筐体４０４のうち、表示部側筐体４０２に配設される表示部４０８と対向する面のうち、キー入力部４２０の両端側に設けられている構成となっている。
【００５９】
次に、本実施の形態の携帯電話機４００における表示部４０８の付着した汚れ４１０を拭浄する動作について、図面を使用しながら説明する。図９は、本実施の形態の携帯電話機４００における表示部４０８の付着した汚れ４１０の拭浄動作説明図であり、（ａ）は、表示部４０８を拭浄動作中の携帯電話機４００のキー入力部４２０が見える面からの正面図であり、（ｂ）は、表示部４０８を拭浄動作中の携帯電話機４００の表示部４０８が見える面からの正面図である。
【００６０】
携帯電話機４００の本体閉状態では、入力部側筐体４０４、表示部側筐体４０２は、図７に示す本体閉状態の様に重なり合っている。この状態から携帯電話機４００を使用する際、入力部側筐体４０４と表示部側筐体４０２は、回転軸４０６を中心に図７（ｂ）に示す本体閉状態から左回転方向Ｌまたは右回転方向Ｒに回転して、図８に示すような本体開状態になる。この回転動作の途中に、図９（ｂ）に示すように表示部４０８に付着した汚れ４１０は、回転動作と同時に拭き取り部４１６と接し、拭き取られる。
【００６１】
また、携帯電話機４００の本体開状態から閉状態への回転動作時も同様の流れで、開閉動作の途中で汚れ４１０は、拭き取り部４１６によって拭き取られる。
【００６２】
以上説明したように、本実施の形態では、表示部４０８の拭浄手段となる拭き取り部４１６を入力部側筐体４０４のうち、表示部側筐体４０２に配設される表示部４０８と対向する面のうち、キー入力部４２０の両端側に設けられている構成にしたことにより、携帯電話機４００の本体回転開閉動作と同時に表示部４０８の汚れ４１０を拭き取ることが出来る。
【００６３】
また、第３の実施の形態と同様に、拭き取り部４１６にクッション性を持たせることにより、携帯電話機４００の開閉動作時における表示部４０８等への傷付き及び衝撃強度緩和の効果を付加できる。
【００６４】
さらに、表示部４０８の拭浄手段となる拭き取り部４１６の設置する位置を変えれば、回転型のみならず、スライド型の携帯電話機にも適用可能となる。図１０は、本実施の形態の携帯電話機４００の変形例の構成図であり、（ａ）は、本実施の形態の変形例であるスライド型携帯電話機５００の開状態の側面図であり、（ｂ）は、本実施の形態の変形例である回転型携帯電話機５００の開状態の正面図であり、（ｃ）は、本実施の形態の変形例である回転型携帯電話機５００の開状態の裏面図である。
【００６５】
図１０（ｂ）に示すように、スライド型携帯電話機５００の入力部側筐体５０４のキー入力部５２０が配設された面のうち、入力部側筐体５０４の先端側及び基端側に略平行となるように拭き取り部５１６を具備すれば、両筐体５０２、５０４をスライドさせながら開閉動作をすると同時に表示部５０８に付着する汚れ（図示せず）を拭き取ることができる。
【００６６】
また、第３及び第４の実施の形態と同様に、拭き取り部５１６にクッション性を持たせることにより、携帯電話機５００の開閉動作時における表示部５０８等への傷付き及び衝撃強度緩和の効果を付加できる。
【００６７】
以上、添付図面を参照しながら本発明の好適な実施の形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６８】
例えば、本発明の各実施の形態においては、主に携帯電話機を例に取って説明したが、本発明は、携帯型のパソコンやＰＤＡ等の表示部とキー操作をするキー入力部を具備し、表示部及びキー入力部がそれぞれ別の筐体に配置されている構成の電子機器にも適用可能である。
【００６９】
また、本発明の第１〜３の実施の形態では、折り畳み式の携帯電話機に本発明の表示部拭浄機構を適用しているが、折り畳み式構造ものだけでなく、回転型やスライド型の構造の携帯電話機等の電子機器にも適用可能である。
【００７０】
さらに、携帯電話機等の電子機器のみならず、鏡や時計等の被拭浄対象面を有する機器の表示部の汚れに対しても、本発明の表示部拭浄機構を適用することによって、開閉動作と同時に表示部の汚れをより簡易に拭き取ることが出来る。
【産業上の利用可能性】
【００７１】
本発明は、電子機器に適用可能であり、特に表示部を具備する表示部側筐体とキー入力部を具備する入力部側筐体の２つの筐体を備える携帯電話機等の電子機器に適用可能である。
【図面の簡単な説明】
【００７２】
【図１】図１は、本発明の第１の実施の形態における電子機器の一例である折り畳み式携帯電話機の外観斜視図であり、（ａ）は、携帯電話機本体の開状態の外観斜視図であり、（ｂ）は、携帯電話機本体の閉状態の外観斜視図である。
【図２】図２は、同実施の形態の携帯電話機における表示部に付着した汚れを拭浄する動作について説明するための図であり、（ａ）は、携帯電話機本体の開状態の外観斜視図であり、（ｂ）は、携帯電話機本体の閉状態の外観斜視図である。
【図３】図３は、同実施の形態の携帯電話機の一の変形例である。
【図４】図４は、同実施の形態の携帯電話機の他の変形例である。
【図５】図５は、本発明の第２の実施の形態における電子機器の一例である折り畳み式携帯電話機の開状態の外観斜視図である。
【図６】図６は、本発明の第３の実施の形態における電子機器の一例である折り畳み式携帯電話機の開状態の外観斜視図であり、（ａ）は、拭浄手段となる拭浄部材を携帯電話機から着脱した場合の携帯電話機の開状態の外観斜視図であり、（ｂ）は、拭浄手段となる拭浄部材を携帯電話機から外して表示部を拭き取る動作の状態を示す携帯電話機の開状態の外観斜視図である。
【図７】図７は、本発明の第４の実施の形態における電子機器の一例である回転型携帯電話機の構成図であり、（ａ）は、同実施の形態の回転型携帯電話機の閉状態の側面図であり、（ｂ）は、同実施の形態の回転型携帯電話機の閉状態の正面図である。
【図８】図８は、同実施の形態における電子機器の一例である回転型携帯電話機の構成図であり、（ａ）は、同実施の形態の回転型携帯電話機の開状態の側面図であり、（ｂ）は、同実施の形態の回転型携帯電話機の開状態の正面図であり、（ｃ）は、同実施の形態の回転型携帯電話機の開状態の裏面図である。
【図９】図９は、同実施の形態の携帯電話機における表示部の付着した汚れの拭浄動作説明図であり、（ａ）は、表示部を拭浄動作中の携帯電話機のキー入力部が見える面からの正面図であり、（ｂ）は、表示部を拭浄動作中の携帯電話機の表示部が見える面からの正面図である。
【図１０】図１０は、同実施の形態の携帯電話機の変形例の構成図であり、（ａ）は、同実施の形態の変形例であるスライド型携帯電話機の開状態の側面図であり、（ｂ）は、同実施の形態の変形例である回転型携帯電話機の開状態の正面図であり、（ｃ）は、同実施の形態の変形例である回転型携帯電話機の開状態の裏面図である。
【符号の説明】
【００７３】
１００    携帯電話機
１０２    表示部側筐体
１０４    入力部側筐体
１０６    ヒンジ部
１０８    表示部
１１０    汚れ
１１４    拭浄部材
１１６    拭き取り部
１１８    拭き取りスライド
１２０    スリット
１２２    ベルト部
１２４    ベルト軸
１２６    小型モータ
１２８    マグネット
１３０    ホールＩＣ
【図１】
2006030247.tif 000003
【図２】
2006030247.tif 000004
【図３】
2006030247.tif 000005
【図４】
2006030247.tif 000006
【図５】
2006030247.tif 000007
【図６】
2006030247.tif 000008
【図７】
2006030247.tif 000009
【図８】
2006030247.tif 000010
【図９】
2006030247.tif 000011
【図１０】
2006030247.tif 000012